(57)【要約】【課題】処置の対象となる患者や処置の種類を変更しながら医療処置を進めるユーザを簡易な操作により効率的に支援可能とする。【解決手段】実施形態の医療処置支援装置は、実行手段、患者決定手段および制御手段を備える。実行手段は、医療に関わる複数種の処置をそれぞれ支援するための複数の支援処理を選択的に実行する。患者決定手段は、ユーザの指示に応じて複数の患者のうちの１人を対象患者として決定する。制御手段は、患者決定手段により決定された対象患者を対象として、複数の支援処理のうちの２つ以上を順次に実行するよう実行手段を制御する。【選択図】図１
2015001937.tif 000002
【特許請求の範囲】
【請求項１】
医療に関わる複数種の処置をそれぞれ支援するための複数の支援処理を選択的に実行する実行手段と、
ユーザの指示に応じて複数の患者のうちの１人を対象患者として決定する患者決定手段と、
前記患者決定手段により決定された対象患者を対象として、前記複数の支援処理のうちの２つ以上を順次に対象処理として決定し、当該対象処理を実行するよう前記実行手段を制御する制御手段とを具備したことを特徴とする医療処置支援装置。
【請求項２】
患者固定モードを設定する設定手段をさらに備え、
前記制御手段は、前記設定手段により前記患者固定モードが設定されているときに前記実行手段の制御を行うことを特徴とする請求項１に記載の医療処置支援装置。
【請求項３】
前記ユーザの指示に応じて前記複数の支援処理のうちの１つを対象処理として決定する処理決定手段をさらに備え、
前記設定手段は、前記処理決定手段が前記対象処理を決定していない状態において前記患者決定手段が前記対象患者を決定したことに応じて前記患者固定モードを設定することを特徴とする請求項２に記載の医療処置支援装置。
【請求項４】
前記ユーザの指示に応じて前記複数の支援処理のうちの１つを対象処理として決定する処理決定手段をさらに備え、
前記設定手段は、前記患者固定モードとは別に処置固定モードを設定し、
前記制御手段は、前記設定手段により前記処置固定モードが設定されているときには、前記処理決定手段により決定された前記対象処理を前記複数の患者のうちの２人以上に対して順次に実行するよう前記実行手段を制御することを特徴とする請求項２に記載の医療処置支援装置。
【請求項５】
前記患者決定手段は、前記設定手段により前記患者固定モードが設定されているときに前記ユーザの指示に応じて前記対象患者とは別の患者を補助対象患者として決定し、
前記制御手段は、前記患者決定手段により前記補助対象患者が決定されたことに応じて、当該補助対象患者を対象として前記複数の支援処理のうちの１つを実行するように前記実行手段を制御したのち、前記対象患者を対象としての処理を再開するように前記実行手段を制御することを特徴とする請求項２〜４のいずれか１項に記載の医療処置支援装置。
【請求項６】
コンピュータを、
医療機関に関わる複数種の処置をそれぞれ支援するための複数の支援処理を選択的に実行する実行手段と、
ユーザの指示に応じて複数の患者のうちの１人を対象患者として決定する患者決定手段と、
前記患者決定手段により決定された対象患者を対象として、前記複数の支援処理のうちの２つ以上を順次に実行するよう前記実行手段を制御する制御手段としてそれぞれ機能させるための医療処置支援プログラム。
【発明の詳細な説明】
【技術分野】
【０００１】
本発明の実施形態は、医療処置支援装置および医療処置支援プログラムに関する。
【背景技術】
【０００２】
医療従事者、特に看護師による検査値の入力や、検査値の確認などの種々の処置をＰＤＡ（personal digital assistant）端末などの情報端末で行えるようにする技術の開発が進められている。
【０００３】
この場合に一般的には、指定された処置の支援を指定された患者を対象として行うための処理を情報端末にて行うこととなる。
【０００４】
このため、看護師等のユーザは、処置の対象となる患者や処置の種類を変える毎に患者および処置の種類をそれぞれ指定するための操作を行わなければならなかった。
【０００５】
このような事情から、処置の対象となる患者や処置の種類を変更しながら医療処置を進めるユーザを、簡易な操作により効率的に支援できることが望まれていた。
【先行技術文献】
【特許文献】
【０００６】
【特許文献１】特開２００７−５８７１５号公報
【特許文献２】特開２００９−１１６４６８号公報
【特許文献３】特開２０１０−１５２１１号公報
【発明の概要】
【発明が解決しようとする課題】
【０００７】
本発明が解決しようとする課題は、処置の対象となる患者や処置の種類を変更しながら医療処置を進めるユーザを、簡易な操作により効率的に支援することができる医療処置支援装置および医療処置支援プログラムを提供することである。
【課題を解決するための手段】
【０００８】
実施形態の医療処置支援装置は、実行手段、患者決定手段および制御手段を備える。実行手段は、医療に関わる複数種の処置をそれぞれ支援するための複数の支援処理を選択的に実行する。患者決定手段は、ユーザの指示に応じて複数の患者のうちの１人を対象患者として決定する。制御手段は、患者決定手段により決定された対象患者を対象として、複数の支援処理のうちの２つ以上を順次に実行するよう実行手段を制御する。
【図面の簡単な説明】
【０００９】
【図１】一実施形態に係る医療処置支援装置を含んで構成した医療情報処理システムのブロック図。
【図２】図１中の看護師端末の外観の一例を示す平面図。
【図３】図１中の医療処置支援装置が備えるＣＰＵの支援処理に関するフローチャート。
【図４】通常モードにおける表示画面の遷移の一例を示す図。
【図５】図１中の医療処置支援装置が備えるＣＰＵの患者固定モードにおけるフローチャート。
【図６】患者固定モードにおける表示画面の遷移の一例を示す図。
【図７】患者固定モードにおける表示画面の遷移の一例を示す図。
【図８】図１中の医療処置支援装置が備えるＣＰＵの処置固定モードにおけるフローチャート。
【図９】処置固定モードにおける表示画面の遷移の一例を示す図。
【発明を実施するための形態】
【００１０】
以下、実施の形態の一例を図面を用いて説明する。
【００１１】
図１は本実施形態に係る医療処置支援装置を含んで構成した医療情報処理システム１００のブロック図である。
【００１２】
医療情報処理システム１００は、医療処置支援装置（以下、支援装置と略記する）１、病院基幹サーバ２および看護師端末３を、通信ネットワーク４を介して通信可能として構成される。
【００１３】
支援装置１は、看護師端末３からの通信ネットワーク４を介してのアクセスを受けて、看護師端末３を所持する看護師による患者に関する医療処置を支援するための処理を行う。なお、看護師端末３のユーザは、看護師には限らず、医師などのその他の医療従事者であっても良い。
【００１４】
病院基幹サーバ２は、電子カルテの管理などの病院内の医療情報処理の基幹をなすサーバ装置である。病院基幹サーバ２は、電子カルテデータなどの各種の医療情報を記憶する病院基幹データベース２ａを備える。
【００１５】
看護師端末３は、看護師により所持される携帯通信端末である。看護師端末３としては、既存のＰＤＡ端末やスマートフォンなどを利用できる。看護師端末３は、支援装置１の処理の下での看護師の支援のためのユーザインタフェースを提供する。
【００１６】
通信ネットワーク４は、例えばＬＡＮ（local area network）などをベースとした病院内ネットワークなどである。通信ネットワーク４は、支援装置１、病院基幹サーバ２および看護師端末３の間での情報の授受を仲介する。
【００１７】
さて支援装置１は、ＣＰＵ（central processing unit）１ａ、ＲＯＭ（read-only memory）１ｂ、ＲＡＭ（random-access memory）１ｃ、補助記憶デバイス１ｄ、通信インタフェース１ｅおよびバスライン１ｆを含む。ＣＰＵ１ａ、ＲＯＭ１ｂ、ＲＡＭ１ｃ、補助記憶デバイス１ｄおよび通信インタフェース１ｅは、いずれもバスライン１ｆに接続されている。
【００１８】
ＣＰＵ１ａは、コンピュータの中枢部分に相当する。ＣＰＵ１ａは、オペレーティングシステムやアプリケーションプログラムに従って、支援装置１としての各種の機能を実現するべく各部を制御する。
【００１９】
ＲＯＭ１ｂは、上記コンピュータの主記憶部分に相当する。ＲＯＭ１ｂは、上記のオペレーティングシステムやアプリケーションプログラムを記憶する。ＲＯＭ１ｂは、ＣＰＵ１ａが各種の処理を実行する上で必要なデータを記憶する場合もある。
【００２０】
ＲＡＭ１ｃは、上記コンピュータの主記憶部分に相当する。ＲＡＭ１ｃは、ＣＰＵ１ａが各種の処理を実行する上で必要なデータを必要に応じて記憶する。またＲＡＭ１ｃは、ＣＰＵ１ａが各種の処理を行う際のワークエリアとしても利用される。
【００２１】
補助記憶デバイス１ｄは、上記コンピュータの補助記憶部分に相当する。補助記憶デバイス１ｄは、例えばＥＥＰＲＯＭ（electric erasable programmable read-only memory）、ＨＤＤ（hard disk drive）、あるいはＳＳＤ（solid state drive）などである。補助記憶デバイス１ｄは、ＣＰＵ１ａが各種の処理を行う上で使用するデータや、ＣＰＵ１ａでの処理によって生成されたデータを保存する。補助記憶デバイス１ｄは、上記のアプリケーションプログラムを記憶する場合もある。
【００２２】
通信インタフェース１ｅは、通信ネットワーク４を介した情報通信のための処理を行う。通信インタフェース１ｅとしては、例えば既存のＬＡＮインタフェースを適用できる。通信インタフェース１ｅに代えて、無線により通信ネットワーク４へとアクセスするタイプの通信インタフェースを設けても良い。
【００２３】
ＲＯＭ１ｂまたは補助記憶デバイス１ｄが保存するアプリケーションプログラムには、後述する支援処理について記述した医療処置支援プログラム（以下、支援プログラムと略記する）が含まれる。この支援装置１の譲渡は一般に、この支援プログラムがＲＯＭ１ｂまたは補助記憶デバイス１ｄに記憶された状態にて行われる。しかし、このコンピュータ装置とは個別に譲渡された支援プログラムがユーザなどの操作に応じて補助記憶デバイス１ｄに書き込まれても良い。支援プログラムの譲渡は、磁気ディスク、光磁気ディスク、光ディスク、半導体メモリなどのようなリムーバブルな記録媒体に記録して、あるいはネットワークを介した通信により行うことができる。
【００２４】
看護師端末３は、ＣＰＵ（central processing unit）３ａ、ＲＯＭ（read-only memory）３ｂ、ＲＡＭ（random-access memory）３ｃ、ＥＥＰＲＯＭ（electric erasable programmable read-only memory）３ｄ、ＬＣＤ（liquid crystal display）３ｅ、ＬＥＤ（light emitting diode）３ｆ、表示コントローラ３ｇ、タッチセンサ３ｈ，３ｉ、ボタンユニット３ｊ、入力コントローラ３ｋ、無線ＬＡＮ通信部３ｍおよびバスライン３ｎを含む。このうち、ＣＰＵ３ａ、ＲＯＭ３ｂ、ＲＡＭ３ｃ、ＥＥＰＲＯＭ３ｄ、表示コントローラ３ｇ、入力コントローラ３ｋおよび無線ＬＡＮ通信部３ｍは、バスライン３ｎにそれぞれ接続されている。ＬＣＤ３ｅおよびＬＥＤ３ｆは表示コントローラ３ｇに接続されている。タッチセンサ３ｈ，３ｉおよびボタンユニット３ｊは、入力コントローラ３ｋに接続されている。
【００２５】
ＣＰＵ３ａは、コンピュータの中枢部分に相当する。ＣＰＵ３ａは、ＲＯＭ３ｂやＥＥＰＲＯＭ３ｄに記憶されたプログラムに従って、ユーザインタフェースのための各種の処理を実行する。
【００２６】
ＲＯＭ３ｂは、上記コンピュータの主記憶部分に相当する。ＲＯＭ３ｂは、ＣＰＵ３ａの処理手順を記述したプログラムや、ＣＰＵ３ａが各種の処理を実行する上で必要なデータなどを記憶している。
【００２７】
ＲＡＭ３ｃは、上記コンピュータの主記憶部分に相当する。ＲＡＭ３ｃは、ＣＰＵ３ａが各種の処理を実行する上で必要なデータを必要に応じて記憶する。例えばＲＡＭ３ｃには、ＬＣＤ３ｅで表示するユーザインタフェース画像を表す画像データを記憶する。またＲＡＭ３ｃは、ＣＰＵ３ａが各種の処理を行う際のワークエリアとしても利用される。
【００２８】
ＥＥＰＲＯＭ３ｄは、上記コンピュータの補助記憶部分に相当する。ＥＥＰＲＯＭ３ｄは、不揮発性で、かつ書き替え可能な半導体メモリであり、典型的にはフラッシュメモリを利用できる。ＥＥＰＲＯＭ３ｄは、ＣＰＵ３ａの処理手順を記述したプログラムや、ＣＰＵ３ａが各種の処理を実行する上で必要な各種のファイルを記憶する。
【００２９】
ＬＣＤ３ｅは、表示コントローラ３ｇにより駆動されて画像を表示する。
【００３０】
ＬＥＤ３ｆは、表示コントローラ３ｇにより駆動されて点灯する。
【００３１】
表示コントローラ３ｇは、ＣＰＵ３ａの制御の下に転送されてくる画像データに応じた画像が表示されるようにＬＣＤ３ｅを駆動する。表示コントローラ３ｇは、ＣＰＵ３ａの制御の下に、ＬＥＤ３ｆの点灯／消灯を制御する。
【００３２】
タッチセンサ３ｈは、ＬＣＤ３ｅの表示面および複数の機能のそれぞれが対応付けられた機能ボタンや複数の置数ボタンを表した印刷面に積層配置される。タッチセンサ３ｈは、ＬＣＤ３ｅの表示画面や上記の印刷面への店員によるタッチがなされた際に、そのタッチ位置に応じた検出信号を出力する。
【００３３】
タッチセンサ３ｉは、複数の機能のそれぞれが対応付けられた機能ボタンが印刷などにより表されたシートに積層配置される。タッチセンサ３ｉは、上記のシートに表された機能ボタンへの店員によるタッチがなされた際に、そのタッチ位置に応じた検出信号を出力する。
【００３４】
ボタンユニット３ｊは、複数のボタンスイッチを含む。
【００３５】
入力コントローラ３ｋは、タッチセンサ３ｈ，３ｉから出力された検出信号に基づいて上記のタッチ位置を表す座標情報を求め、この座標情報をＣＰＵ３ａへ送る。座標情報は、タッチセンサ３ｈ，３ｉのどちらがタッチされたのかも識別可能である。
【００３６】
無線ＬＡＮ通信部３ｍは、通信ネットワーク４に含まれた図示しない無線アクセスポイントと周知の無線ＬＡＮ規格に従って無線通信する。これにより無線ＬＡＮ通信部３ｍは、ＣＰＵ３ａが通信ネットワーク４を介して支援装置１や病院基幹サーバ２と通信することを可能とする。無線ＬＡＮ通信部３ｍとしては、ＩＥＥＥ（The institute of electrical and engineers, Inc.）により策定されたIEEE 802.11などに準拠した既存の通信ユニットを利用できる。
【００３７】
図２は看護師端末３の外観の一例を示す平面図である。なお、図２において図１と同一部分には同一符号を付している。
【００３８】
看護師端末３は、２つの筐体３ｐ，３ｒを有する。筐体３ｐ，３ｒは、図示しないシャフトによって連結されている。筐体３ｒは、シャフトを回転軸として揺動可能であり、筐体３ｐ，３ｒを並列させた図２に示すような展開状態と、筐体３ｐ，３ｒを互いに重ね合わせた折り畳み状態とをとり得る。筐体３ｐは、ＬＣＤ３ｅ、ＬＥＤ３ｆ、タッチセンサ３ｈおよびボタンユニット３ｊを支持する。筐体３ｒは、タッチセンサ３ｉを、シート３ｓと積層状態で支持する。ＣＰＵ３ａ、ＲＯＭ３ｂ、ＲＡＭ３ｃ、ＥＥＰＲＯＭ３ｄ、表示コントローラ３ｇ、入力コントローラ３ｋおよび無線ＬＡＮ通信部３ｍは、筐体３ｐ，３ｒのいずれかに収容される。また、看護師端末３は、筐体３ｐ，３ｒのいずれかに収容されたバッテリ（図示せず）を有し、看護師端末３の各部はこのバッテリが出力する電力により動作する。
【００３９】
シート３ｓは、機能ボタンＢ１，Ｂ２，Ｂ３，Ｂ４，Ｂ５を表す。シート３ｓは、この他の機能ボタンをさらに表していても良い。機能ボタンＢ１は、患者固定モードの設定を指示するためのボタンである。機能ボタンＢ２は、処置固定モードの設定を指示するためのボタンである。機能ボタンＢ３は、患者選択を要求するためのボタンである。機能ボタンＢ４は、処置選択を要求するためのボタンである。機能ボタンＢ５は、終了を要求するためのボタンである。
【００４０】
次に以上のように構成された医療情報処理システム１００の動作について説明する。
【００４１】
折り畳み状態にあった看護師端末３が展開状態とされるなどの所定の事象が看護師端末３にて発生したことに伴って、ＣＰＵ３ａが処理開始を要求するコマンドを無線ＬＡＮ通信部３ｍより支援装置１に宛てて通信ネットワーク４へと送出する。このコマンドが通信ネットワーク４を介し支援装置１へと送達されると、通信インタフェース１ｅにより受信されて、ＣＰＵ１ａへと与えられる。そしてこれに応じてＣＰＵ１ａは、ＲＯＭ１ｂまたは補助記憶デバイス１ｄに記憶された支援プログラムに従って図３に示す支援処理を開始する。なお、以下に説明する処理の内容は一例であって、同様な結果を得ることが可能な様々な処理を適宜に利用できる。
【００４２】
図１では看護師端末３を１つのみ図示しているが、典型的には医療情報処理システム１００には複数の看護師端末３が含まれる。ＣＰＵ１ａは、ある看護師端末３からの要求に応じて開始した支援処理は、その要求元の看護師端末３に関するものとして実行する。支援処理の実行中に他の看護師端末３からの要求があった場合には、ＣＰＵ１ａはその看護師端末３に関する支援処理を別途に開始する。そしてＣＰＵ１ａは、それら複数の支援処理を例えば別タスクの処理として並列的に実行する。
【００４３】
Ａｃｔ１においてＣＰＵ１ａは、予め定められたホーム画面の表示を看護師端末３に対して指示する。このホーム画面や後述する他の画面の表示の指示は例えば、表示すべき画面を表したＨＴＭＬ（hypertext markup language）ファイルを通信ネットワーク４を介して看護師端末３へと送信することによって行うことができる。この指示が通信ネットワーク４を介して看護師端末３に送達されると、この指示に応じてＣＰＵ３ａの制御の下に表示コントローラ３ｇが、画面を表示するようにＬＣＤ３ｅを制御する。なおこのような看護師端末３における画面の表示は、ＣＰＵ３ａが備える周知のブラウザ機能を用いて周知のように実現できる。
【００４４】
図４は通常モードにおけるＬＣＤ３ｅでの表示画面の遷移の一例を示す図である。なお、図４に示された表示画面の中に示される矢印は、図４に示す遷移のきっかけとなるタッチ操作がなされる位置の一例を模式的に表しており、表示画面に表示されたオブジェクトではない。
【００４５】
画面Ｓｃ１は、ホーム画面の一例である。このようなホーム画面Ｓｃ１をＬＣＤ３ｅに表示させた上でＣＰＵ１ａは、Ａｃｔ２へと進む。
【００４６】
Ａｃｔ２においてＣＰＵ１ａは、患者固定モードの設定が看護師端末３から指示されたか否かを確認する。そして、当該指示がなされていないためにＮＯと判定したならばＣＰＵ１ａは、Ａｃｔ３へと進む。
【００４７】
Ａｃｔ３においてＣＰＵ１ａは、処置固定モードの設定が看護師端末３から指示されたか否かを確認する。そして、当該指示がなされていないためにＮＯと判定したならばＣＰＵ１ａは、Ａｃｔ４へと進む。
【００４８】
Ａｃｔ４においてＣＰＵ１ａは、患者選択が看護師端末３から要求されたか否かを確認する。そして、当該要求がなされていないためにＮＯと判定したならばＣＰＵ１ａは、Ａｃｔ５へと進む。
【００４９】
Ａｃｔ５においてＣＰＵ１ａは、処置選択が看護師端末３から要求されたか否かを確認する。そして、当該要求がなされていないためにＮＯと判定したならばＣＰＵ１ａは、Ａｃｔ２へと戻る。
【００５０】
かくしてＡｃｔ２〜５においてＣＰＵ１ａは、患者固定モードまたは処置固定モードの設定の指示および患者選択または処置選択の要求のいずれかがなされるのを待ち受ける。
【００５１】
ＬＣＤ３ｅにてホーム画面Ｓｃ１が表示された状態の看護師端末３にて看護師が機能ボタンＢ４にタッチすると、ＣＰＵ３ａは処置選択を要求するためのコマンドを支援装置１に宛てて通信ネットワーク４へと送出する。このコマンドが通信ネットワーク４を介し支援装置１へと送達されるとＣＰＵ１ａは、処置選択が要求されたとしてＡｃｔ５にてＹＥＳと判定し、Ａｃｔ６へと進む。
【００５２】
Ａｃｔ６においてＣＰＵ１ａは、予め定められた処置選択画面の表示を看護師端末３に対して指示する。この指示に応じてＣＰＵ３ａの制御の下に表示コントローラ３ｇが、処置選択画面を表示するようにＬＣＤ３ｅを制御する。
【００５３】
図４中の画面Ｓｃ２は、処置選択画面の一例である。
【００５４】
処置選択画面Ｓｃ２は、支援装置１が支援する処置の種類の一覧を表したものである。なお、処置選択画面Ｓｃ２がＬＣＤ２ｅの表示領域に対して大きい場合にＣＰＵ３ａは、タッチセンサ３ｈによりスライド操作が検出された場合などに処置選択画面Ｓｃ２をスクロールさせる。画面のスクロールは、後述する別の画面の場合も同様である。
【００５５】
このようにして看護師端末３にて処置選択画面Ｓｃ２を表示させたのちにＣＰＵ１ａは、Ａｃｔ７へ進む。
【００５６】
Ａｃｔ７においてＣＰＵ１ａは、処置選択画面に示した処置のうちの１つが指定されたか否かを確認する。そして当該指定がなされていないためにＮＯと判定したならばＣＰＵ１ａは、Ａｃｔ７に戻る。かくしてＡｃｔ７においてＣＰＵ１ａは、処置の指定がなされるのを待ち受ける。
【００５７】
処置選択画面Ｓｃ２に示された処置の１つを指定する操作が例えばタッチセンサ３ｈなどにより検出されると、ＣＰＵ３ａはそれにより指定された処置を通知するためのコマンドを支援装置１に宛てて通信ネットワーク４へと送出する。このコマンドが通信ネットワーク４を介し支援装置１へと送達されるとＣＰＵ１ａは、処置の指定がなされたとしてＡｃｔ７にてＹＥＳと判定し、Ａｃｔ８へと進む。
【００５８】
Ａｃｔ８においてＣＰＵ１ａは、指定された処置を対象処置として決定する。後述するが、ここで決定された対象処置に応じた支援処理が実行の対象となるので、このときにＣＰＵ１ａは、処理決定手段として機能している。
【００５９】
Ａｃｔ９においてＣＰＵ１ａは、予め定められた患者選択画面の表示を看護師端末３に対して指示する。この指示に応じてＣＰＵ３ａの制御の下に表示コントローラ３ｇが、患者選択画面を表示するようにＬＣＤ３ｅを制御する。
【００６０】
図４中の画面Ｓｃ３は、患者選択画面の一例である。
【００６１】
患者選択画面Ｓｃ３は、患者の一覧を表したものである。
【００６２】
このようにして看護師端末３にて患者選択画面Ｓｃ３を表示させたのちにＣＰＵ１ａは、Ａｃｔ１０へ進む。
【００６３】
Ａｃｔ１０においてＣＰＵ１ａは、患者選択画面に示した患者のうちの１人が指定されたか否かを確認する。そして当該指定がなされていないためにＮＯと判定したならばＣＰＵ１ａは、Ａｃｔ１０に戻る。かくしてＡｃｔ１０においてＣＰＵ１ａは、患者の指定がなされるのを待ち受ける。
【００６４】
患者選択画面Ｓｃ３に示された患者の１人を指定する操作が例えばタッチセンサ３ｈなどにより検出されると、ＣＰＵ３ａはそれにより指定された処置を通知するためのコマンドを支援装置１に宛てて通信ネットワーク４へと送出する。このコマンドが通信ネットワーク４を介し支援装置１へと送達されるとＣＰＵ１ａは、患者の指定がなされたとしてＡｃｔ１０にてＹＥＳと判定し、Ａｃｔ１１へと進む。
【００６５】
Ａｃｔ１１においてＣＰＵ１ａは、指定された患者を対象患者として決定する。このときにＣＰＵ１ａは、患者決定手段として機能する。
【００６６】
Ａｃｔ１２においてＣＰＵ１ａは、対象患者を対象とした対象処置を支援するための支援処理を実行する。このときにＣＰＵ１ａは、実行手段として機能する。
【００６７】
支援処理の中でＣＰＵ１ａは、対象処置の支援のための様々な支援画面を適宜に表示するように看護師端末３に対して指示する。この指示に応じてＣＰＵ３ａの制御の下に表示コントローラ３ｇが、支援画面を表示するようにＬＣＤ３ｅを制御する。
【００６８】
図４中の画面Ｓｃ４は、支援処理によって看護師端末３にてＬＣＤ３ｅで表示される支援画面の一例である。
【００６９】
支援画面Ｓｃ４は、対象処置として「バイタル入力」が、また対象患者として「サトウヒロシ」がそれぞれ設定された場合の支援画面の例である。支援画面Ｓｃ４には、体温、血圧（最高）および血圧（最低）の各項目に関するバイタル値を入力する入力欄が設けられている。
【００７０】
支援画面Ｓｃ４が表示されているときに看護師は、「サトウヒロシ」についての体温などのバイタル値を計測し、それを支援画面Ｓｃ４中の入力欄に入力する。そうするとＣＰＵ３ａは、その入力されたバイタル値を取得して、支援装置１へと送信する。ＣＰＵ１ａは、上記のバイタル値を病院基幹データベース２ａに登録するべく病院基幹サーバ２へと転送する。
【００７１】
このような支援処理が完了したならばＣＰＵ１ａは、Ａｃｔ１を経てＡｃｔ２〜５の待ち受け状態に戻る。
【００７２】
以上のように、最初に処置選択が要求されたならばＣＰＵ１ａは、看護師端末３における表示を図４に示す如く遷移させ、対象処置および対象患者の看護師の指定に応じての設定を経て支援処理を実行する。
【００７３】
ＬＣＤ３ｅにてホーム画面Ｓｃ１が表示された状態の看護師端末３にて看護師が機能ボタンＢ１にタッチすると、ＣＰＵ３ａは患者固定を指示するためのコマンドを支援装置１に宛てて通信ネットワーク４へと送出する。このコマンドが通信ネットワーク４を介し支援装置１へと送達されるとＣＰＵ１ａは、患者固定が指示されたとしてＡｃｔ２にてＹＥＳと判定し、Ａｃｔ１３へと進む。
【００７４】
Ａｃｔ１３においてＣＰＵ１ａは、患者固定モードを設定し、患者固定モードにおける処理を実行する。このときにＣＰＵ１ａは、設定手段として機能する。
【００７５】
図５は患者固定モードにおけるＣＰＵ１ａのフローチャートである。
【００７６】
図６は患者固定モードにおけるＬＣＤ３ｅでの表示画面の遷移の一例を示す図である。なお、図４に示されるものと同一の画面には同一の符号を付している。
【００７７】
図５のＡｃｔ２１においてＣＰＵ１ａは、患者選択画面Ｓｃ３の表示を看護師端末３に対して指示する。この指示に応じてＣＰＵ３ａの制御の下に表示コントローラ３ｇが、患者選択画面を表示するようにＬＣＤ３ｅを制御する。
【００７８】
Ａｃｔ２２においてＣＰＵ１ａは、患者選択画面に示した患者のうちの１つが指定されたか否かを確認する。そして当該指定がなされていないためにＮＯと判定したならばＣＰＵ１ａは、Ａｃｔ２２に戻る。かくしてＡｃｔ２２においてＣＰＵ１ａは、患者の指定がなされるのを待ち受ける。
【００７９】
患者選択画面Ｓｃ３に示された患者の１人を指定する操作がなされて、それにより指定された患者を通知するためのコマンドが通信ネットワーク４を介し支援装置１へと送達されるとＣＰＵ１ａは、患者の指定がなされたとしてＡｃｔ２２にてＹＥＳと判定し、Ａｃｔ２３へと進む。
【００８０】
Ａｃｔ２３においてＣＰＵ１ａは、指定された患者をデフォルト患者として決定する。
【００８１】
Ａｃｔ２４においてＣＰＵ１ａは、上記のデフォルト患者を対象患者として決定する。つまりＣＰＵ１ａは、看護師端末３にて指定された患者を最初の対象患者として決定する。このときにＣＰＵ１ａは、患者決定手段として機能する。
【００８２】
Ａｃｔ２５においてＣＰＵ１ａは、対象処置を決定する。この対象処置の決定は、予め定められた方法により行われる。例えばＡｃｔ２５は後述するように繰り返し実行されることがあり得るので、この繰り返しの中で予め定められた順序で複数の処置を順次に対象処置として決定することが考えられる。あるいは、処置選択画面Ｓｃ２をＬＣＤ３ｅに表示させて、看護師が指定した処理を対象処置として決定することが考えられる。機能ボタンＢ４がタッチされ、そのことが看護師端末３から支援装置１へと通知された場合に後者の方法により対象患者の決定を行うようにしても良い。表示名を「次へ」などとした機能ボタンを追加し、この機能ボタンがタッチされたことに応じて前者の方法により対象患者の決定を行うようにしても良い。さらには上記２つの機能ボタンのいずれがタッチされたかに応じて、後者および前者の方法を選択的に適用しても良い。
【００８３】
Ａｃｔ２６においてＣＰＵ１ａは、対象患者を対象とした対象処置を支援するための支援処理を実行する。かくしてこのときにＣＰＵ１ａは、実行手段として機能する。そしてこの支援処理を完了したならばＣＰＵ１ａは、Ａｃｔ２７へ進む。
【００８４】
Ａｃｔ２７においてＣＰＵ１ａは、予め定められたガイド画面の表示を看護師端末３に対して指示する。この指示に応じてＣＰＵ３ａの制御の下に表示コントローラ３ｇが、ガイド画面を表示するようにＬＣＤ３ｅを制御する。
【００８５】
図６中の画面Ｓｃ５は、ガイド画面の一例である。
【００８６】
ガイド画面Ｓｃ５は、「処置を変更」「患者を一時変更」および「患者固定を終了」という選択肢を含み、これらの選択肢の１つを選択すべきであることをガイドする。このようなガイド画面Ｓｃ５をＬＣＤ３ｅに表示させた上でＣＰＵ１ａは、Ａｃｔ２８へと進む。
【００８７】
Ａｃｔ２８においてＣＰＵ１ａは、処置の変更が看護師端末３から指示されたか否かを確認する。そして、当該指示がなされていないためにＮＯと判定したならばＣＰＵ１ａは、Ａｃｔ２９へと進む。
【００８８】
Ａｃｔ２９においてＣＰＵ１ａは、患者の変更が看護師端末３から指示されたか否かを確認する。そして、当該指示がなされていないためにＮＯと判定したならばＣＰＵ１ａは、Ａｃｔ３０へと進む。
【００８９】
Ａｃｔ３０においてＣＰＵ１ａは、患者固定の終了が看護師端末３から指示されたか否かを確認する。そして、当該指示がなされていないためにＮＯと判定したならばＣＰＵ１ａは、Ａｃｔ２８へと戻る。
【００９０】
かくしてＡｃｔ２８〜３０においてＣＰＵ１ａは、ガイド画面が含んだ選択肢のいずれかの選択による指示がなされるのを待ち受ける。そして処置変更が指示されたならばＣＰＵ１ａは、Ａｃｔ２８にてＹＥＳと判定し、Ａｃｔ２４に戻り、Ａｃｔ２４〜２７を上記と同様に繰り返す。これにより、Ａｃｔ２５にて新たに決定した対象処置を支援するための支援処理を、デフォルト患者を対象患者として実行することになる。つまり、対象患者をデフォルト患者に固定した状態で、複数の処置に関する支援処理が順次に行われることになる。かくして、Ａｃｔ２４〜２８のループを処理することによりＣＰＵ１ａは、制御手段として機能する。
【００９１】
図６はこのような動作の結果としてのＬＣＤ３ｅにおける表示画面の遷移の一例を表している。図６は、Ａｃｔ２６においては、最初に「バイタル入力」を、次に「バイタル確認」をそれぞれ対象処置として決定するように定められている場合である。
【００９２】
図６から分かるように、ガイド画面Ｓｃ５にて「処置を変更」が指定される限りは、対象患者は患者選択画面Ｓｃ３にて最初に指定されたデフォルト患者（図６の例では「サトウヒロシ」）に固定されて、その後は患者選択画面Ｓｃ３による患者の指定を待つことなしに、上記の固定された対象患者に対する複数の処置をそれぞれ支援する支援処理が順次に実行される。
【００９３】
なお、画面Ｓｃ６は「サトウヒロシ」のバイタルを確認するための確認画面の一例である。
【００９４】
患者固定モードにおける動作は、以上のような動作を基本とする。しかしながら本実施形態においては、患者固定モードを維持しながら、一時的に対象患者を変更することを許容する。このような一時的な対象患者の変更のために看護師は、ガイド画面Ｓｃ５において「患者を一時変更」をタッチする。このような操作により対象患者の変更が指示されたならば、ＣＰＵ１ａはＡｃｔ２９にてＹＥＳと判定し、Ａｃｔ３１へと進む。
【００９５】
Ａｃｔ３１においてＣＰＵ１ａは、新たな対象患者を決定する。この対象患者の決定は、予め定められた方法により行われる。例えば患者選択画面Ｓｃ３をＬＣＤ３ｅに表示させて、看護師が指定した患者を対象患者として決定することが考えられる。この場合、ＣＰＵ１ａは、患者決定手段として機能する。あるいは、Ａｃｔ３１は繰り返し実行されることがあり得るので、この繰り返しの中で予め定められた順序で複数の患者を順次に対象処置として決定することが考えられる。
【００９６】
そして新たな対象患者を決定したならばＣＰＵ１ａは、Ａｃｔ２６に戻り、その新たに決定した対象患者に関しての対象処置を支援するための支援処理を実行する。このときの対象処理は、患者変更が指示されたときに決定されていたものである。
【００９７】
さて、このように患者固定モードでありながら患者を変更した状態にあるときに、さらにガイド画面Ｓｃ５において処置の変更が指示されたならば、ＣＰＵ１ａはＡｃｔ２８にてＹＥＳと判定し、前述したようにＡｃｔ２４〜２７を繰り返す。これにより、次にＡｃｔ２６にて支援処理を実行する際の対象患者はデフォルト患者に戻される。
【００９８】
図７は患者固定モードにおけるＬＣＤ３ｅでの表示画面の遷移の一例を示す図である。なお、図４，６に示されるものと同一の画面には同一の符号を付している。
【００９９】
図７は上記のような一時的な対象患者の変更を伴う動作の結果としてのＬＣＤ３ｅにおける表示画面の遷移の一例を表している。
【０１００】
図７の例では、「サトウヒロシ」がデフォルト患者である。この「サトウヒロシ」を対象患者として「バイタル入力」が行われたのち、この「バイタル入力」を「ワタナベアキラ」を対象患者として行っている。画面Ｓｃ７は、対象処置として「バイタル入力」が、また対象患者として「ワタナベアキラ」がそれぞれ設定された場合の支援画面の例である。そしてこののちにガイド画面Ｓｃ５において「処置を変更」がタッチされたことに応じて、看護師による患者の指定などを経ることなく、デフォルト患者である「サトウヒロシ」に関する「バイタル確認」が行われている。
【０１０１】
このようにして、看護師が、基本的にはある１人の患者、つまりデフォルト患者に対して複数の処置を順次に行おうとしているが、ある処置をデフォルト患者に対して行ったのちに、その処置を他の患者についても行ってしまいたいと考えた場合には、ガイド画面Ｓｃ５において「患者を変更」を選ぶことによってそのような措置をとることができる。
【０１０２】
ガイド画面Ｓｃ５において「患者固定を終了」がタッチされたならば、ＣＰＵ１ａはＡｃｔ３０にてＹＥＳと判定し、図５に示す処理を終了する。そしてこの場合にＣＰＵ１ａは、図３のＡｃｔ１を経てＡｃｔ２〜５の待ち受け状態に戻る。
【０１０３】
ＬＣＤ３ｅにてホーム画面Ｓｃ１が表示された状態の看護師端末３にて看護師が機能ボタンＢ２にタッチすると、ＣＰＵ３ａは処置固定を指示するためのコマンドを支援装置１に宛てて通信ネットワーク４へと送出する。このコマンドが通信ネットワーク４を介し支援装置１へと送達されるとＣＰＵ１ａは、処置固定が指示されたとしてＡｃｔ３にてＹＥＳと判定し、Ａｃｔ１４へと進む。
【０１０４】
Ａｃｔ１４においてＣＰＵ１ａは、処置固定モードを設定し、処置固定モードにおける処理を実行する。
【０１０５】
図８は処置固定モードにおけるＣＰＵ１ａのフローチャートである。
【０１０６】
Ａｃｔ４１においてＣＰＵ１ａは、処置選択画面Ｓｃ２の表示を看護師端末３に対して指示する。この指示に応じてＣＰＵ３ａの制御の下に表示コントローラ３ｇが、処置選択画面Ｓｃ２を表示するようにＬＣＤ３ｅを制御する。
【０１０７】
このようにして看護師端末３にて処置選択画面Ｓｃ２を表示させたのちにＣＰＵ１ａは、Ａｃｔ４２へ進む。
【０１０８】
Ａｃｔ４２においてＣＰＵ１ａは、処置選択画面に示した処置のうちの１つが指定されたか否かを確認する。そして当該指定がなされていないためにＮＯと判定したならばＣＰＵ１ａは、Ａｃｔ４２に戻る。かくしてＡｃｔ４２においてＣＰＵ１ａは、処置の指定がなされるのを待ち受ける。
【０１０９】
処置選択画面Ｓｃ２に示された処置の１つを指定する操作が例えばタッチセンサ３ｈなどにより検出されると、ＣＰＵ３ａはそれにより指定された処置を通知するためのコマンドを支援装置１に宛てて通信ネットワーク４へと送出する。このコマンドが通信ネットワーク４を介し支援装置１へと送達されるとＣＰＵ１ａは、処置の指定がなされたとしてＡｃｔ４２にてＹＥＳと判定し、Ａｃｔ４３へと進む。
【０１１０】
Ａｃｔ４３においてＣＰＵ１ａは、指定された処置を対象処置として決定する。このときにＣＰＵ１ａは、処理決定手段として機能する。
【０１１１】
Ａｃｔ４４においてＣＰＵ１ａは、対象患者を決定する。この対象患者の決定は、予め定められた方法により行われる。例えば患者選択画面Ｓｃ３をＬＣＤ３ｅに表示させて、看護師が指定した患者を対象患者として決定することが考えられる。この場合、ＣＰＵ１ａは、患者決定手段として機能する。あるいは、Ａｃｔ４４は繰り返し実行されることがあり得るので、この繰り返しの中で予め定められた順序で複数の患者を順次に対象処置として決定することが考えられる。機能ボタンＢ３がタッチされ、そのことが看護師端末３から支援装置１へと通知された場合に前者の方法により対象患者の決定を行うようにしても良い。この場合は、機能ボタンＢ３がタッチされた場合であっても、対象処置が決定された状態にあっては患者固定モードを設定しない。表示名を「次へ」などとした機能ボタンを追加し、この機能ボタンがタッチされたことに応じて後者の方法により対象患者の決定を行うようにしても良い。さらには上記２つの機能ボタンのいずれがタッチされたかに応じて、前者および後者の方法を選択的に適用しても良い。
【０１１２】
Ａｃｔ４５においてＣＰＵ１ａは、対象患者を対象とした対象処置を支援するための支援処理を実行する。このときにＣＰＵ１ａは、実行手段として機能する。
【０１１３】
Ａｃｔ４６においてＣＰＵ１ａは、患者選択画面Ｓｃ３の表示を看護師端末３に対して指示する。この指示に応じてＣＰＵ３ａの制御の下に表示コントローラ３ｇが、患者選択画面Ｓｃ３を表示するようにＬＣＤ３ｅを制御する。
【０１１４】
Ａｃｔ４７においてＣＰＵ１ａは、患者選択画面Ｓｃ３に示した患者のうちの１つが指定されたか否かを確認する。そして当該指定がなされていないためにＮＯと判定したならばＣＰＵ１ａは、Ａｃｔ４８へ進む。
【０１１５】
Ａｃｔ４８においてＣＰＵ１ａは、処置固定モードの終了が指示されたか否かを確認する。そして当該指示がなされていないためにＮＯと判定したならばＣＰＵ１ａは、Ａｃｔ４７に戻る。
【０１１６】
かくしてＡｃｔ４７，４８においてＣＰＵ１ａは、患者が指定されるか、あるいは処置固定モードの終了が指示されるのを待ち受ける。そして、患者選択画面Ｓｃ３に示された患者の１人を指定する操作がなされて、それにより指定された患者を通知するためのコマンドが通信ネットワーク４を介し支援装置１へと送達されるとＣＰＵ１ａは、患者の指定がなされたとしてＡｃｔ４７にてＹＥＳと判定し、Ａｃｔ４９へと進む。
【０１１７】
Ａｃｔ４９においてＣＰＵ１ａは、指定された患者を対象患者として決定する。そしてこののちにＣＰＵ１ａは、Ａｃｔ４５に戻り、新たに設定した対象患者を対象とした対象処置を支援するための支援処理を実行する。このときにＣＰＵ１ａは、実行手段として機能する。
【０１１８】
なおＣＰＵ１ａがＡｃｔ４７，４８の待ち受け状態にあるときに、例えば機能ボタンＢ５のタッチなどにより処置固定モードの終了が指示され、その旨を通知するためのコマンドが看護師端末３から支援装置１へと送られたならば、ＣＰＵ１ａはＡｃｔ４８にてＹＥＳと判定し、図８に示す処理を終了する。そしてこの場合にＣＰＵ１ａは、図３のＡｃｔ１を経てＡｃｔ２〜５の待ち受け状態に戻る。
【０１１９】
図９は処置固定モードにおけるＬＣＤ３ｅでの表示画面の遷移の一例を示す図である。なお、図４，６，７に示されるものと同一の画面には同一の符号を付している。
【０１２０】
図９の例では、対象処置として「バイタル入力」が設定されている。そして最初に患者選択画面Ｓｃ３にて「サトウヒロシ」が指定されたことに応じて、支援画面Ｓｃ４によって「サトウヒロシ」を対象としての「バイタル入力」が支援される。次いで、患者選択画面Ｓｃ３にて「ワタナベアキラ」が指定されたことに応じて、支援画面Ｓｃ７によって「ワタナベアキラ」を対象としての「バイタル入力」が支援される。
【０１２１】
このようにして、看護師が、ある１つの処置を複数の患者に対して順次に行おうとしている場合には、看護師は対象患者を変更する毎に処置の指定を行うことがない。
【０１２２】
ＬＣＤ３ｅにてホーム画面Ｓｃ１が表示された状態の看護師端末３にて看護師が機能ボタンＢ３にタッチすると、ＣＰＵ３ａは患者選択を要求するためのコマンドを支援装置１に宛てて通信ネットワーク４へと送出する。このコマンドが通信ネットワーク４を介し支援装置１へと送達されるとＣＰＵ１ａは、患者選択が指示されたとしてＡｃｔ４にてＹＥＳと判定し、Ａｃｔ１５へと進む。
【０１２３】
Ａｃｔ１５においてＣＰＵ１ａは、患者固定モードを設定し、患者固定モードにおける処理を実行する。ここでの処理は、Ａｃｔ１３での処理と同じである。このときにＣＰＵ１ａは、設定手段として機能する。
【０１２４】
以上のように支援装置１によれば、患者固定モードを設定することによって、対象処置を変更する際における看護師による患者の指定を不要とすることができるので、同一の患者に対して複数の処置を順次に施す業務形態にあっては、看護師端末３における看護師の操作の負担を軽減できる。
【０１２５】
また支援装置１によれば、患者固定モードの設定中であっても、対象患者を一時的に変更できる。従って、例えば患者の健康状態の急変などといった諸状況の変化に柔軟に対応しつつ諸処の処置を進めることが可能なのであり、看護師を効率的に支援できることになる。
【０１２６】
また支援装置１によれば、患者固定モードの他に、処置固定モードを設定可能であり、それにより１つの対象処置を複数の患者のそれぞれに関して順次に行う場合には、対象患者を変更する際における看護師による対象処置の指定を不要とすることができ、看護師端末３における看護師の操作の負担を軽減できる。
【０１２７】
かくして支援装置１によれば、処置の対象となる患者や処置の種類を変更しながら医療処置を進める看護師（ユーザ）を簡易な操作により効率的に支援できる。
【０１２８】
この実施形態は、次のような種々の変形実施が可能である。
【０１２９】
患者固定モードの設定が指示された場合と対象処置が決定されていない状態で患者選択が要求された場合とのいずれか一方のみにおいて患者固定モードを設定しても良い。
【０１３０】
処置固定モードは、省略しても良い。
【０１３１】
看護師端末３としては、スマートフォンやタブレット端末などの通信機能を備えた情報端末を適宜に用いることができる。
【０１３２】
支援装置１が実行する支援処理は、病院基幹サーバ２と連携するものには限らず、任意であって良い。
【０１３３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１３４】
１…医療処置支援装置（支援装置）、１ａ…ＣＰＵ、１ｂ…ＲＯＭ、１ｃ…ＲＡＭ、１ｄ…補助記憶デバイス、１ｅ…通信インタフェース、２…病院基幹サーバ、３…看護師端末、４…通信ネットワーク、１００…医療情報処理システム。
【図１】
2015001937.tif 000003
【図２】
2015001937.tif 000004
【図３】
2015001937.tif 000005
【図４】
2015001937.tif 000006
【図５】
2015001937.tif 000007
【図６】
2015001937.tif 000008
【図７】
2015001937.tif 000009
【図８】
2015001937.tif 000010
【図９】
2015001937.tif 000011